(57)【要約】  本願の実施例はランダムアクセス方法、ネットワーク機器及び端末装置を開示し、該方法は、ネットワーク機器が１回のランダムアクセス過程において端末装置から送信された複数のプリアンブルを受信することと、該ネットワーク機器が該複数のプリアンブルのうちの少なくとも１つのプリアンブルに対応する少なくとも１つのランダムアクセス応答（ＲＡＲ）を該端末装置にフィードバックすることと、を含む。本願の実施例に係る方法、ネットワーク機器及び端末装置を用いることにより、プリアンブル伝送の信頼性及びネットワーク機器がプリアンブルに応答する確率の向上に役立つ。
2020532156.tif 000002
【特許請求の範囲】
【請求項１】
ランダムアクセス方法であって、
ネットワーク機器が１回のランダムアクセス過程において端末装置から送信された複数のプリアンブルを受信することと、
前記ネットワーク機器が前記複数のプリアンブルのうちの少なくとも１つのプリアンブルに対応する少なくとも１つのランダムアクセス応答（ＲＡＲ）を前記端末装置にフィードバックすることと、を含むことを特徴とする、前記ランダムアクセス方法。
【請求項２】
前記ネットワーク機器が前記複数のプリアンブルのうちの少なくとも１つのプリアンブルに対応する少なくとも１つのランダムアクセス応答（ＲＡＲ）を前記端末装置にフィードバックすることは、
前記ネットワーク機器が前記複数のプリアンブルのうちの１番目のプリアンブルを受信した後、前記１番目のプリアンブルに対応するＲＡＲを前記端末装置にフィードバックすることと、
前記ネットワーク機器が前記複数のプリアンブルのうちの前記１番目のプリアンブル以外のプリアンブルを受信した後、ＲＡＲを前記端末装置にフィードバックしないことと、を含むことを特徴とする
請求項１に記載の方法。
【請求項３】
前記少なくとも１つのＲＡＲは前記複数のプリアンブルに１対１に対応する複数のＲＡＲを含み、前記ネットワーク機器が前記複数のプリアンブルのうちの少なくとも１つのプリアンブルに対応する少なくとも１つのランダムアクセス応答（ＲＡＲ）を前記端末装置にフィードバックすることは、
前記ネットワーク機器が前記複数のプリアンブルのうちの１つのプリアンブルを受信したたびに、対応するＲＡＲを前記端末装置にフィードバックすることを含むことを特徴とする
請求項１に記載の方法。
【請求項４】
前記ネットワーク機器が前記複数のプリアンブルのうちの少なくとも１つのプリアンブルに対応する少なくとも１つのランダムアクセス応答（ＲＡＲ）を前記端末装置にフィードバックすることは、
前記ネットワーク機器が前記複数のプリアンブルの受信を完了した後、前記少なくとも１つのＲＡＲを前記端末装置にフィードバックすることを含むことを特徴とする
請求項１に記載の方法。
【請求項５】
前記ネットワーク機器が前記複数のプリアンブルの受信を完了した後、前記少なくとも１つのプリアンブルに対応する少なくとも１つのＲＡＲを前記端末装置にフィードバックすることは、
前記ネットワーク機器が前記複数のプリアンブルの受信を完了した後、前記複数のプリアンブルを受信する信号強度又は前記複数のプリアンブルを受信する順序に応じて、前記少なくとも１つのＲＡＲを前記端末装置にフィードバックすることを含むことを特徴とする
請求項４に記載の方法。
【請求項６】
前記少なくとも１つのＲＡＲは複数のＲＡＲを含み、前記複数のＲＡＲが１つの媒体アクセス制御（ＭＡＣ）プロトコルデータユニット（ＰＤＵ）で搬送されることを特徴とする
請求項５に記載の方法。
【請求項７】
前記ネットワーク機器が１回のランダムアクセス過程において端末装置から送信された複数のプリアンブルを受信することは、
前記ネットワーク機器が１回のランダムアクセス過程において少なくとも１つの物理ランダムアクセスチャネル（ＰＲＡＣＨ）リソースによって前記端末装置から送信された前記複数のプリアンブルを受信することを含むことを特徴とする
請求項１〜６のいずれか１項に記載の方法。
【請求項８】
前記ネットワーク機器が１回のランダムアクセス過程において少なくとも１つの物理ランダムアクセスチャネル（ＰＲＡＣＨ）リソースによって前記端末装置から送信された前記複数のプリアンブルを受信することは、
前記ネットワーク機器が１回のランダムアクセス過程において前記複数のプリアンブルに１対１に対応する複数のＰＲＡＣＨリソースによって前記端末装置から送信された前記複数のプリアンブルを受信することを含むことを特徴とする
請求項７に記載の方法。
【請求項９】
前記ランダムアクセス過程は競合に基づくランダムアクセス過程、非競合に基づくランダムアクセス過程又はシステム情報を取得するランダムアクセス過程であることを特徴とする
請求項１〜８のいずれか１項に記載の方法。
【請求項１０】
ランダムアクセス方法であって、
端末装置が１回のランダムアクセス過程においてネットワーク機器へ複数のプリアンブルを送信することと、
前記端末装置が前記ネットワーク機器から送信された、前記複数のプリアンブルのうちの少なくとも１つのプリアンブルに対応する少なくとも１つのランダムアクセス応答（ＲＡＲ）を受信することと、を含むことを特徴とする、前記ランダムアクセス方法。
【請求項１１】
前記方法は、更に、
前記端末装置が前記少なくとも１つのＲＡＲのうちの第１のＲＡＲに含まれるアップリンクグラントに基づき、前記ネットワーク機器へランダムアクセス過程における３番目のメッセージを送信することを含むことを特徴とする
請求項１０に記載の方法。
【請求項１２】
前記第１のＲＡＲが前記少なくとも１つのＲＡＲのうちの前記端末装置の受信した１番目のＲＡＲであることを特徴とする
請求項１１に記載の方法。
【請求項１３】
前記少なくとも１つのＲＡＲは複数のＲＡＲを含み、前記複数のＲＡＲが１つの媒体アクセス制御（ＭＡＣ）プロトコルデータユニット（ＰＤＵ）に含まれることを特徴とする
請求項１０〜１２のいずれか１項に記載の方法。
【請求項１４】
前記端末装置が１回のランダムアクセス過程においてネットワーク機器へ複数のプリアンブルを送信することは、
前記端末装置が１回のランダムアクセス過程において少なくとも１つの物理ランダムアクセスチャネル（ＰＲＡＣＨ）リソースによって前記ネットワーク機器へ前記複数のプリアンブルを送信することを含むことを特徴とする
請求項１０〜１３のいずれか１項に記載の方法。
【請求項１５】
前記端末装置が１回のランダムアクセス過程において少なくとも１つの物理ランダムアクセスチャネル（ＰＲＡＣＨ）リソースによって前記ネットワーク機器へ前記複数のプリアンブルを送信することは、
前記端末装置が１回のランダムアクセス過程において前記複数のプリアンブルに１対１に対応する複数のＰＲＡＣＨリソースによって前記ネットワーク機器へ前記複数のプリアンブルを送信することを含むことを特徴とする
請求項１４に記載の方法。
【請求項１６】
前記ランダムアクセス過程は競合に基づくランダムアクセス過程、非競合に基づくランダムアクセス過程又はシステム情報を取得するランダムアクセス過程であることを特徴とする
請求項１０〜１５のいずれか１項に記載の方法。
【請求項１７】
ネットワーク機器であって、
１回のランダムアクセス過程において端末装置から送信された複数のプリアンブルを受信するように構成される受信ユニットと、
前記複数のプリアンブルのうちの少なくとも１つのプリアンブルに対応する少なくとも１つのランダムアクセス応答（ＲＡＲ）を前記端末装置にフィードバックするように構成される送信ユニットと、を備えることを特徴とする、前記ネットワーク機器。
【請求項１８】
前記送信ユニットは、具体的に、
前記複数のプリアンブルのうちの１番目のプリアンブルを受信した後、前記１番目のプリアンブルに対応するＲＡＲを前記端末装置にフィードバックし、
前記複数のプリアンブルのうちの前記１番目のプリアンブル以外のプリアンブルを受信した後、ＲＡＲを前記端末装置にフィードバックしないことに用いられることを特徴とする
請求項１７に記載のネットワーク機器。
【請求項１９】
前記少なくとも１つのＲＡＲは前記複数のプリアンブルに１対１に対応する複数のＲＡＲを含み、前記送信ユニットは、具体的に、
前記複数のプリアンブルのうちの１つのプリアンブルを受信したたびに、対応するＲＡＲを前記端末装置にフィードバックすることに用いられることを特徴とする
請求項１７に記載のネットワーク機器。
【請求項２０】
前記送信ユニットは、具体的に、
前記複数のプリアンブルの受信を完了した後、前記少なくとも１つのＲＡＲを前記端末装置にフィードバックすることに用いられることを特徴とする
請求項１７に記載のネットワーク機器。
【請求項２１】
前記送信ユニットは、具体的に、
前記複数のプリアンブルの受信を完了した後、前記複数のプリアンブルを受信する信号強度又は前記複数のプリアンブルを受信する順序に応じて、前記少なくとも１つのＲＡＲを前記端末装置にフィードバックすることに用いられることを特徴とする
請求項２０に記載のネットワーク機器。
【請求項２２】
前記少なくとも１つのＲＡＲは複数のＲＡＲを含み、前記複数のＲＡＲが１つの媒体アクセス制御（ＭＡＣ）プロトコルデータユニット（ＰＤＵ）で搬送されることを特徴とする
請求項２１に記載のネットワーク機器。
【請求項２３】
前記受信ユニットは、具体的に、
１回のランダムアクセス過程において少なくとも１つの物理ランダムアクセスチャネル（ＰＲＡＣＨ）リソースによって前記端末装置から送信された前記複数のプリアンブルを受信することに用いられることを特徴とする
請求項１７〜２２のいずれか１項に記載のネットワーク機器。
【請求項２４】
前記受信ユニットは、具体的に、
１回のランダムアクセス過程において前記複数のプリアンブルに１対１に対応する複数のＰＲＡＣＨリソースによって前記端末装置から送信された前記複数のプリアンブルを受信することに用いられることを特徴とする
請求項２３に記載のネットワーク機器。
【請求項２５】
前記ランダムアクセス過程は競合に基づくランダムアクセス過程、非競合に基づくランダムアクセス過程又はシステム情報を取得するランダムアクセス過程であることを特徴とする
請求項１７〜２４のいずれか１項に記載のネットワーク機器。
【請求項２６】
端末装置であって、
１回のランダムアクセス過程においてネットワーク機器へ複数のプリアンブルを送信するように構成される第１送信ユニットと、
前記ネットワーク機器から送信された、前記複数のプリアンブルのうちの少なくとも１つのプリアンブルに対応する少なくとも１つのランダムアクセス応答（ＲＡＲ）を受信するように構成される受信ユニットと、を備えることを特徴とする、前記端末装置。
【請求項２７】
前記端末装置は、更に、
前記少なくとも１つのＲＡＲのうちの第１のＲＡＲに含まれるアップリンクグラントに基づき、前記ネットワーク機器へランダムアクセス過程における３番目のメッセージを送信するように構成される第２送信ユニットを備えることを特徴とする
請求項２６に記載の端末装置。
【請求項２８】
前記第１のＲＡＲが前記少なくとも１つのＲＡＲのうちの前記端末装置の受信した１番目のＲＡＲであることを特徴とする
請求項２７に記載の端末装置。
【請求項２９】
前記少なくとも１つのＲＡＲは複数のＲＡＲを含み、前記複数のＲＡＲが１つの媒体アクセス制御（ＭＡＣ）プロトコルデータユニット（ＰＤＵ）に含まれることを特徴とする
請求項２６〜２８のいずれか１項に記載の端末装置。
【請求項３０】
前記第１送信ユニットは、具体的に、
１回のランダムアクセス過程において少なくとも１つの物理ランダムアクセスチャネル（ＰＲＡＣＨ）リソースによって前記ネットワーク機器へ前記複数のプリアンブルを送信することに用いられることを特徴とする
請求項２６〜２９のいずれか１項に記載の端末装置。
【請求項３１】
前記第１送信ユニットは、具体的に、
１回のランダムアクセス過程において前記複数のプリアンブルに１対１に対応する複数のＰＲＡＣＨリソースによって前記ネットワーク機器へ前記複数のプリアンブルを送信することに用いられることを特徴とする
請求項３０に記載の端末装置。
【請求項３２】
前記ランダムアクセス過程は競合に基づくランダムアクセス過程、非競合に基づくランダムアクセス過程又はシステム情報を取得するランダムアクセス過程であることを特徴とする
請求項２６〜３１のいずれか１項に記載の端末装置。
【発明の詳細な説明】
【技術分野】
【０００１】
本願の実施例は通信分野に関し、且つより具体的に、ランダムアクセス方法、端末装置及びネットワーク機器に関する。
【背景技術】
【０００２】
従来のロングタームエボリューション（ＬＴＥ：Ｌｏｎｇ  Ｔｅｒｍ  Ｅｖｏｌｕｔｉｏｎ）システムにおいて、ランダムアクセス過程は競合に基づくアクセス及び非競合に基づくアクセスに分けられ、非競合に基づくアクセスはネットワーク機器が端末装置に１つの専用ランダムプリアンブルを設定してアクセスを開始するが、競合に基づくアクセスは端末装置が１つのプリアンブルを要求してアクセスを開始することであり、端末装置が競合に基づくアクセスを用いるか又は非競合に基づくアクセスを用いるかに関わらず、プリアンブル（ｐｒｅａｍｂｌｅ）伝送の信頼性がいずれも不十分である。
【発明の概要】
【発明が解決しようとする課題】
【０００３】
これに鑑みて、本願の実施例はプリアンブル伝送の信頼性及びネットワーク機器がプリアンブルに応答する確率の向上に役立つランダムアクセス方法、端末装置及びネットワーク機器を提供する。
【課題を解決するための手段】
【０００４】
第１態様では、ランダムアクセス方法を提供し、該方法は、ネットワーク機器が１回のランダムアクセス過程において端末装置から送信された複数のプリアンブルを受信することと、該ネットワーク機器が該複数のプリアンブルのうちの少なくとも１つのプリアンブルに対応する少なくとも１つのランダムアクセス応答（ＲＡＲ）を該端末装置にフィードバックすることと、を含む。
【０００５】
所謂１回のランダムアクセス過程とは、端末装置が前回送信されたプリアンブルに対して行われたランダムアクセスに失敗した後、該プリアンブルを再び送信するシーンではなく、端末装置がネットワーク機器へ複数のプリアンブルを連続送信することを意味する。
【０００６】
ネットワーク機器は１回のランダムアクセス過程において端末装置から送信された複数のプリアンブルを受信することができ、プリアンブル伝送の信頼性及びネットワーク機器がプリアンブルに応答する確率の向上に役立つ。
【０００７】
可能な実現方式では、該ネットワーク機器が該複数のプリアンブルのうちの少なくとも１つのプリアンブルに対応する少なくとも１つのランダムアクセス応答（ＲＡＲ）を該端末装置にフィードバックすることは、該ネットワーク機器が該複数のプリアンブルのうちの１番目のプリアンブルを受信した後、該１番目のプリアンブルに対応するＲＡＲを該端末装置にフィードバックすることと、該ネットワーク機器が該複数のプリアンブルのうちの該１番目のプリアンブル以外のプリアンブルを受信した後、ＲＡＲを該端末装置にフィードバックしないことと、を含む。
【０００８】
好ましくは、ネットワーク機器は更にｉ番目のプリアンブルを受信した後、１番目からｉ−１番目までのプリアンブルをフィードバックせず、ｉ番目後のプリアンブルもフィードバックせずに、該ｉ番目のプリアンブルに対応するＲＡＲを端末装置にフィードバックしてもよい。つまり、ネットワーク機器が端末装置にフィードバックした１つのみのＲＡＲは該ｎ個のプリアンブルのうちのいずれか１つのプリアンブルに対応するＲＡＲであってもよいし、対応するプリアンブルを送信した後、ＲＡＲを端末装置に直ちにフィードバックしてもよい。
【０００９】
可能な実現方式では、該少なくとも１つのＲＡＲは該複数のプリアンブルに１対１に対応する複数のＲＡＲを含み、該ネットワーク機器が該複数のプリアンブルのうちの少なくとも１つのプリアンブルに対応する少なくとも１つのランダムアクセス応答（ＲＡＲ）を該端末装置にフィードバックすることは、該ネットワーク機器が該複数のプリアンブルのうちの１つのプリアンブルを受信したたびに、対応するＲＡＲを該端末装置にフィードバックすることを含む。
【００１０】
好ましくは、ネットワーク機器は各プリアンブルを受信した後、ＲＡＲを端末装置に直ちにフィードバックしてもよいし、一定時間経過後に端末装置にフィードバックしてもよい。
【００１１】
可能な実現方式では、該ネットワーク機器が該複数のプリアンブルのうちの少なくとも１つのプリアンブルに対応する少なくとも１つのランダムアクセス応答（ＲＡＲ）を該端末装置にフィードバックすることは、該ネットワーク機器が該複数のプリアンブルの受信を完了した後、該少なくとも１つのＲＡＲを該端末装置にフィードバックすることを含む。
【００１２】
可能な実現方式では、該ネットワーク機器が該複数のプリアンブルの受信を完了した後、該少なくとも１つのプリアンブルに対応する少なくとも１つのＲＡＲを該端末装置にフィードバックすることは、該ネットワーク機器が該複数のプリアンブルの受信を完了した後、該複数のプリアンブルを受信する信号強度又は該複数のプリアンブルを受信する順序に応じて、該少なくとも１つのＲＡＲを該端末装置にフィードバックすることを含む。
【００１３】
可能な実現方式では、該少なくとも１つのＲＡＲは複数のＲＡＲを含み、該複数のＲＡＲが１つの媒体アクセス制御（ＭＡＣ）プロトコルデータユニット（ＰＤＵ）で搬送される。
【００１４】
好ましくは、ネットワーク機器が複数のプリアンブルに対応するＲＡＲを端末装置にフィードバックする場合、各ＲＡＲを異なるＭＡＣ  ＰＤＵに含ませてもよいし、複数のＲＡＲを同じＭＡＣ  ＰＤＵに含ませてもよい。
【００１５】
可能な実現方式では、該ネットワーク機器が１回のランダムアクセス過程において端末装置から送信された複数のプリアンブルを受信することは、該ネットワーク機器が１回のランダムアクセス過程において少なくとも１つの物理ランダムアクセスチャネル（ＰＲＡＣＨ）リソースによって該端末装置から送信された該複数のプリアンブルを受信することを含む。
【００１６】
可能な実現方式では、該ネットワーク機器が１回のランダムアクセス過程において少なくとも１つの物理ランダムアクセスチャネル（ＰＲＡＣＨ）リソースによって該端末装置から送信された該複数のプリアンブルを受信することは、該ネットワーク機器が１回のランダムアクセス過程において該複数のプリアンブルに１対１に対応する複数のＰＲＡＣＨリソースによって該端末装置から送信された該複数のプリアンブルを受信することを含む。
【００１７】
好ましくは、ネットワーク機器は複数のＰＲＡＣＨリソースによって複数のプリアンブルを伝送するように予め設定してもよいし、１つのＰＲＡＣＨリソースによって複数のプリアンブルを伝送するように大略設定してもよく、端末装置は該１つのＰＲＡＣＨリソースにおけるある位置を使用して対応するプリアンブルを伝送することを自主的に決定し、ネットワーク機器は更に該複数のＰＲＡＣＨリソースを１つのビームに対応し、又は異なるＰＲＡＣＨリソースを異なるビームに対応するように設定してもよい。
【００１８】
可能な実現方式では、該ランダムアクセス過程は競合に基づくランダムアクセス過程、非競合に基づくランダムアクセス過程又はシステム情報を取得するランダムアクセス過程である。
【００１９】
第２態様では、ランダムアクセス方法を提供し、該方法は、端末装置が１回のランダムアクセス過程においてネットワーク機器へ複数のプリアンブルを送信することと、該端末装置が該ネットワーク機器から送信された、該複数のプリアンブルのうちの少なくとも１つのプリアンブルに対応する少なくとも１つのランダムアクセス応答（ＲＡＲ）を受信することと、を含む。
【００２０】
可能な実現方式では、該方法は、更に、該端末装置が該少なくとも１つのＲＡＲのうちの第１のＲＡＲに含まれるアップリンクグラントに基づき、該ネットワーク機器へランダムアクセス過程における３番目のメッセージを送信することを含む。
【００２１】
可能な実現方式では、該第１のＲＡＲが該少なくとも１つのＲＡＲのうちの該端末装置の受信した１番目のＲＡＲである。
【００２２】
可能な実現方式では、該少なくとも１つのＲＡＲは複数のＲＡＲを含み、該複数のＲＡＲが１つの媒体アクセス制御（ＭＡＣ）プロトコルデータユニット（ＰＤＵ）に含まれる。
【００２３】
可能な実現方式では、該端末装置が１回のランダムアクセス過程においてネットワーク機器へ複数のプリアンブルを送信することは、該端末装置が１回のランダムアクセス過程において少なくとも１つの物理ランダムアクセスチャネル（ＰＲＡＣＨ）リソースによって該ネットワーク機器へ該複数のプリアンブルを送信することを含む。
【００２４】
可能な実現方式では、該端末装置が１回のランダムアクセス過程において少なくとも１つの物理ランダムアクセスチャネル（ＰＲＡＣＨ）リソースによって該ネットワーク機器へ該複数のプリアンブルを送信することは、該端末装置が１回のランダムアクセス過程において該複数のプリアンブルに１対１に対応する複数のＰＲＡＣＨリソースによって該ネットワーク機器へ該複数のプリアンブルを送信することを含む。
【００２５】
可能な実現方式では、該ランダムアクセス過程は競合に基づくランダムアクセス過程、非競合に基づくランダムアクセス過程又はシステム情報を取得するランダムアクセス過程である。
【００２６】
第３態様では、ネットワーク機器を提供し、上記第１態様又は第１態様のいずれか１つの可能な実現方式における方法を実行することに用いられる。具体的に、該ネットワーク機器は上記第１態様又は第１態様のいずれか１つの可能な実現方式における方法を実行するためのユニットを備える。
【００２７】
第４態様では、端末装置を提供し、上記第２態様又は第１態様のいずれか１つの可能な実現方式における方法を実行することに用いられる。具体的に、該端末装置は上記第２態様又は第２態様のいずれか１つの可能な実現方式における方法を実行するためのユニットを備える。
【００２８】
第５態様では、ネットワーク機器を提供し、該ネットワーク機器はメモリ、プロセッサ、入力インターフェース及び出力インターフェースを備える。メモリ、プロセッサ、入力インターフェース及び出力インターフェースがバスシステムによって接続される。該メモリは命令を記憶することに用いられ、該プロセッサは該メモリに記憶される命令を実行することに用いられ、上記第１態様又は第１態様のいずれか１つの可能な実現方式における方法を実行することに用いられる。
【００２９】
第６態様では、端末装置を提供し、該端末装置はメモリ、プロセッサ、入力インターフェース及び出力インターフェースを備える。メモリ、プロセッサ、入力インターフェース及び出力インターフェースがバスシステムによって接続される。該メモリは命令を記憶することに用いられ、該プロセッサは該メモリに記憶される命令を実行することに用いられ、上記第２態様又は第２態様のいずれか１つの可能な実現方式における方法を実行することに用いられる。
【００３０】
第７態様では、コンピュータ記憶媒体を提供し、上記第１態様又は第１態様のいずれか１つの可能な実現方式における方法、又は上記第２態様又は第２態様のいずれか１つの可能な実現方式における方法を実行するために用いた、上記態様を実行するために設計したプログラムを含むコンピュータソフトウェア命令を記憶することに用いられる。
【００３１】
第８態様では、命令を含むコンピュータプログラム製品を提供し、コンピュータにおいて実行されるとき、コンピュータが上記第１態様又は第１態様のいずれか１つの可能な実現方式における方法、又は上記第２態様又は第２態様のいずれか１つの可能な実現方式における方法を実行する。
【００３２】
本願のこれらの態様又は他の態様は以下の実施例の説明において明らかになる。
【図面の簡単な説明】
【００３３】
【図１】図１は本願の実施例の応用シーンの模式図である。
【図２】図２はランダムアクセス過程の模式的なフローチャートである。
【図３】図３は本願の実施例のランダムアクセス方法の模式的なブロック図である。
【図４】図４はＲＡＲが含まれるＭＡＣ  ＰＤＵの構造図である。
【図５】図５は本願の実施例のランダムアクセス方法の他の模式的なブロック図である。
【図６】図６は本願の実施例のネットワーク機器の模式的なブロック図である。
【図７】図７は本願の実施例の端末装置の模式的なブロック図である。
【図８】図８は本願の実施例のネットワーク機器の他の模式的なブロック図である。
【図９】図９は本願の実施例の端末装置の他の模式的なブロック図である。
【発明を実施するための形態】
【００３４】
以下、本願の実施例の図面を参照しながら、本願の実施例の技術案を明確且つ完全に説明する。
【００３５】
本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ＬＴＥシステム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、新無線（ＮＲ：Ｎｅｗ  Ｒａｄｉｏ）又は将来の５Ｇシステム等に適用されてもよいと理解すべきである。
【００３６】
特に、本願の実施例の技術案は非直交多元アクセス技術に基づく様々な通信システム、例えば疎コード多重アクセス（ＳＣＭＡ：Ｓｐａｒｓｅ  Ｃｏｄｅ  Ｍｕｌｔｉｐｌｅ  Ａｃｃｅｓｓ）システム、低密度シグネチャ（ＬＤＳ：Ｌｏｗ  Ｄｅｎｓｉｔｙ  Ｓｉｇｎａｔｕｒｅ）システム等に適用されてもよく、無論、通信分野ではＳＣＭＡシステム及びＬＤＳシステムが他の名称と称されてもよく、更に、本願の実施例の技術案は非直交多元アクセス技術を用いたマルチキャリア伝送システム、例えば非直交多元アクセス技術を用いた直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルタバンクマルチキャリア（ＦＢＭＣ：Ｆｉｌｔｅｒ  Ｂａｎｋ  Ｍｕｌｔｉ−Ｃａｒｒｉｅｒ）、汎用周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システム等に適用されてもよい。
【００３７】
本願の実施例の端末装置はユーザー装置（ＵＥ：Ｕｓｅｒ  Ｅｑｕｉｐｍｅｎｔ）、アクセス端末、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展する公衆陸上移動網（ＰＬＭＮ：Ｐｕｂｌｉｃ  Ｌａｎｄ  Ｍｏｂｉｌｅ  Ｎｅｔｗｏｒｋ）における端末装置等であってもよく、本願の実施例は制限しない。
【００３８】
本願の実施例のネットワーク機器は端末装置と通信するための装置であってもよく、該ネットワーク機器はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  ＮｏｄｅＢ）であってもよく、更にクラウド無線アクセスネットワーク（ＣＲＡＮ：Ｃｌｏｕｄ  Ｒａｄｉｏ  Ａｃｃｅｓｓ  Ｎｅｔｗｏｒｋ）シーンにおける無線制御装置であってもよく、又は、該ネットワーク機器は中継所、アクセスポイント、車載装置、ウェアラブル端末及び将来の５Ｇネットワークにおけるネットワーク機器又は将来発展するＰＬＭＮネットワークにおけるネットワーク機器等であってもよく、本願の実施例は制限しない。
【００３９】
図１は本願の実施例の応用シーンの模式図である。図１における通信システムは端末装置１０及びネットワーク機器２０を備えてもよい。ネットワーク機器２０は端末装置１０に通信サービスを提供してコアネットワークにアクセスすることに用いられ、端末装置１０はネットワーク機器２０から送信された同期信号、ブロードキャスト信号等を検索することによりネットワークにアクセスし、それによりネットワークと通信する。図１に示す矢印は端末装置１０とネットワーク機器２０との間のセルラーリンクによるアップリンク／ダウンリンク伝送を示してもよい。
【００４０】
ランダムアクセス技術は移動通信システムにおけるユーザーがネットワークと通信する最も重要なものである。無線セルラーネットワークにおいて、ユーザーがランダムアクセス過程によってネットワーク側に対して接続要求を開始する。ところが、ＬＴＥシステムにおいて、ランダムアクセスの主な目的はアップリンク同期及び受信に必要なセル無線ネットワーク一時的識別子（Ｃ−ＲＮＴＩ：Ｃｅｌｌ  Ｒａｄｉｏ  Ｎｅｔｗｏｒｋ  Ｔｅｍｐｏｒａｒｙ  Ｉｄｅｎｔｉｆｉｅｒ）を確立することである。従って、ランダムアクセスは初期アクセスに適用されるだけでなく、ユーザーのアップリンク同期が崩れた場合にも適用される。理解都合上、以下に図２を参照しながらランダムアクセス過程を簡単に説明する。図２に示すように、主に以下を含む。
【００４１】
１．まず、ランダムアクセスプリアンブルを送信する。主な目的は、ネットワーク機器が端末装置の伝送遅延を正確に推定して、複数の端末装置のアクセス要求を同時に開始することによる衝突問題を解決することである。
２．ネットワーク機器が端末へ送信したフィードバック情報、すなわちランダムアクセス応答（ＲＡＲ：Ｒａｎｄｏｍ  Ａｃｃｅｓｓ  Ｒｅｓｐｏｎｓｅ）にはアップリンク同期に必要な伝送遅延及び現在のシステムのアクセス過負荷状況（端末装置がｂａｃｋｏｆｆメカニズムを用いて衝突を回避することに用いられる）が含まれる。それ以外にも、ネットワーク機器が更にアクセス端末装置に割り当てられたアップリンクリソース位置を端末にフィードバックする。
３．端末装置が指定されたアップリンクリソースにおいてランダムアクセスイベントに対応するメッセージ及び端末装置自体の端末装置識別子Ｃ−ＲＮＴＩを送信する。
４．ネットワーク機器が衝突解決情報を端末装置にフィードバックする。ここで、ランダムアクセス過程によって複数の端末装置がシステムにアクセスするように同時に要求することによる衝突問題を完全に解決する。
【００４２】
アクセスリソースが限られたため、複数の端末装置が同じアクセスリソースにおいてアクセスを同時に開始する場合、衝突が生じることになる。端末装置はランダムアクセス応答時間帯内に２におけるフィードバック情報を受信したかどうか又は受信されたフィードバック情報に含まれるプリアンブルがその送信したものに一致するかどうかによって、今回のランダムアクセスに失敗したかどうかを判断することができる。具体的に、端末装置がランダムアクセス応答時間帯内にフィードバック情報を受信しておらず、又は受信されたフィードバック情報にはその送信したプリアンブルに一致するものが含まれていない場合、端末装置は今回のランダムアクセスに失敗したと見なされてもよく、また、端末装置は更に受信された上記４における衝突解決情報に基づいて競合解決に失敗したと判断してもよく、同様に今回のランダムアクセスに失敗したと判断できる。
【００４３】
５Ｇ等の将来の無線通信システムの研究において、ビームフォーミング技術はカバレッジ及びスペクトル効率を向上させるための重要な技術である。ビームフォーミング（ＢＦ：Ｂｅａｍｆｏｒｍｉｎｇ）はアダプティブアレイアンテナの１つの実現方式であって、複数のアレイエレメントからなるアンテナアレイにおいて実現するデジタル信号処理技術である。それは希望信号及び干渉信号の到着角等の空間チャネル特性における相違を利用して、アンテナアレイに対して適切な重み付け値を設定することにより、空間的に希望信号及び干渉信号を分離し、ユーザー間の干渉の低減、システム容量の増加の目的を実現する。
【００４４】
ランダムアクセス過程において、ネットワーク機器が端末装置のランダムアクセスに応答する確率を向上させるよう、端末装置はマルチビームを用いてネットワーク機器へプリアンブル（ｐｒｅａｍｂｌｅ）を送信することができる。通信システムが複数のｐｒｅａｍｂｌｅの伝送をサポートする場合、ネットワーク機器がどのように複数のｐｒｅａｍｂｌｅに応答するかは解決すべき問題である。
【００４５】
図３は本願の実施例のランダムアクセス方法１００の模式的なブロック図である。図３に示すように、該方法１００は以下の一部又は全部を含んでもよい。
【００４６】
Ｓ１１０において、ネットワーク機器が１回のランダムアクセス過程において端末装置から送信された複数のプリアンブルを受信する。
【００４７】
Ｓ１２０において、前記ネットワーク機器が前記複数のプリアンブルのうちの少なくとも１つのプリアンブルに対応する少なくとも１つのランダムアクセス応答（ＲＡＲ）を前記端末装置にフィードバックする。
【００４８】
１．好ましくは、本願の実施例の応用シーンは、ＬＴＥシステムにおける端末装置が１回のランダムアクセス過程においてネットワーク機器へ１つのプリアンブルを送信し、該ランダムアクセスに失敗した場合、端末装置がネットワーク機器へ同じプリアンブルを再び送信するシーンと異なって、１回のランダムアクセス過程において複数のプリアンブルを送信するシーンである。つまり、端末装置が１回のランダムアクセス過程において複数のプリアンブルを連続送信するが、端末装置が前回送信したプリアンブルのＲＡＲを監視できない場合のみ、プリアンブルを再び送信する必要がない。
２．好ましくは、本願の実施例では、該複数のプリアンブルは序列が完全に異なるプリアンブルであってもよいし、序列が同じであるプリアンブルの一部を含んでもよい。該複数のプリアンブルが異なるビームを用いて送信されてもよいし、同じビームを用いて送信されてもよく、ここで具体的に制限しない。
【００４９】
従って、本願の実施例のランダムアクセス方法によれば、ネットワーク機器は１回のランダムアクセス過程において端末装置から送信された複数のプリアンブルを受信することができ、プリアンブル伝送の信頼性及びネットワーク機器がプリアンブルに応答する確率の向上に役立つ。
【００５０】
以下、いくつかの実施例によって本願のネットワーク機器がＲＡＲを端末装置にフィードバックする技術案を詳しく説明する。
【００５１】
１．端末装置がネットワーク機器へｍ個のｐｒｅａｍｂｌｅを送信し、ｍ個のＲＡＲを端末装置にフィードバックする；
２．端末装置がネットワーク機器へｍ個のｐｒｅａｍｂｌｅを送信し、ネットワーク機器がｎ個のＲＡＲを端末装置にフィードバックし、ｍ≧ｎ＞１である；
３．端末装置がネットワーク機器へｍ個のｐｒｅａｍｂｌｅを送信し、ネットワーク機器が１つのＲＡＲを端末装置にフィードバックする。
【００５２】
一般的に、ネットワーク機器の受信したｐｒｅａｍｂｌｅの数は端末装置がネットワーク機器へ送信したｐｒｅａｍｂｌｅの数以下である。
【００５３】
好ましくは、本願の実施例では、該ネットワーク機器が該複数のプリアンブルのうちの少なくとも１つのプリアンブルに対応する少なくとも１つのランダムアクセス応答（ＲＡＲ）を該端末装置にフィードバックすることは、該ネットワーク機器が該複数のプリアンブルのうちの１番目のプリアンブルを受信した後、該１番目のプリアンブルに対応するＲＡＲを該端末装置にフィードバックすることと、該ネットワーク機器が該複数のプリアンブルのうちの該１番目のプリアンブル以外のプリアンブルを受信した後、ＲＡＲを該端末装置にフィードバックしないことと、を含む。
【００５４】
つまり、ネットワーク機器は１番目のプリアンブルを受信した後、該１番目のプリアンブルのＲＡＲを端末装置にフィードバックすることができ、ネットワーク機器は他のプリアンブルを受信した後、ＲＡＲを端末装置にフィードバックせず、つまり、ネットワーク機器は１つのみのＲＡＲを端末装置にフィードバックし、且つ該ＲＡＲが１番目のプリアンブルのＲＡＲである。
【００５５】
好ましくは、ネットワーク機器は更にｉ番目のプリアンブルを受信した後、１番目からｉ−１番目までのプリアンブルをフィードバックせず、ｉ番目後のプリアンブルもフィードバックせずに、該ｉ番目のプリアンブルに対応するＲＡＲを端末装置にフィードバックしてもよい。つまり、ネットワーク機器が端末装置にフィードバックした１つのみのＲＡＲは該ｎ個のｐｒｅａｍｂｌｅのうちのいずれか１つのｐｒｅａｍｂｌｅに対応するＲＡＲであってもよいし、対応するｐｒｅａｍｂｌｅを送信した後、ＲＡＲを端末装置に直ちにフィードバックしてもよい。
【００５６】
好ましくは、本願の実施例では、該少なくとも１つのＲＡＲは該複数のプリアンブルに１対１に対応する複数のＲＡＲを含み、該ネットワーク機器が該複数のプリアンブルのうちの少なくとも１つのプリアンブルに対応する少なくとも１つのランダムアクセス応答（ＲＡＲ）を該端末装置にフィードバックすることは、該ネットワーク機器が該複数のプリアンブルのうちの１つのプリアンブルを受信したたびに、対応するＲＡＲを該端末装置にフィードバックすることを含む。
【００５７】
ネットワーク機器は１つのｐｒｅａｍｂｌｅを受信したたびに対応するＲＡＲを端末装置にフィードバックしてもよく、つまり、ネットワーク機器が端末装置にフィードバックしたＲＡＲはネットワーク機器の受信したｐｒｅａｍｂｌｅに１対１に対応する。具体的に、ネットワーク機器は各ｐｒｅａｍｂｌｅを受信した後、ＲＡＲを端末装置に直ちにフィードバックしてもよいし、一定時間経過後に端末装置にフィードバックしてもよく、本願の実施例はネットワーク機器がｐｒｅａｍｂｌｅを受信した時間と対応するＲＡＲをフィードバックした時間との間隔を制限しない。
【００５８】
好ましくは、本願の実施例では、該ネットワーク機器が該複数のプリアンブルのうちの少なくとも１つのプリアンブルに対応する少なくとも１つのランダムアクセス応答（ＲＡＲ）を該端末装置にフィードバックすることは、該ネットワーク機器が該複数のプリアンブルの受信を完了した後、該少なくとも１つのＲＡＲを該端末装置にフィードバックすることを含む。
【００５９】
ネットワーク機器は更にすべてのｐｒｅａｍｂｌｅの受信を完了した後、その中から少なくとも１つのｐｒｅａｍｂｌｅを選択してフィードバックしてもよい。例えば、ネットワーク機器が端末装置に５つのｐｒｅａｍｂｌｅの伝送リソースを設定し、ネットワーク機器は端末装置が１回のランダムアクセス過程においてネットワーク機器へ５つのｐｒｅａｍｂｌｅを送信したように初期設定してもよく、ネットワーク機器は５つのｐｒｅａｍｂｌｅを受信した後、その中から１つ又は複数のｐｒｅａｍｂｌｅを選択してフィードバックしてもよく、ネットワーク機器が３つのｐｒｅａｍｂｌｅを受信したが、所定時間内に４番目のｐｒｅａｍｂｌｅを受信していない場合、ネットワーク機器は他の２つのｐｒｅａｍｂｌｅが紛失されたように初期設定してもよく、且つ受信された３つのｐｒｅａｍｂｌｅから１つ又は複数のｐｒｅａｍｂｌｅを直接選択してフィードバックしてもよい。
【００６０】
上記ネットワーク機器が複数のプリアンブルに対してＲＡＲを端末装置にフィードバックする方式は単に模式的な説明であり、本願の実施例はこれに限らない。
【００６１】
好ましくは、本願の実施例では、該ネットワーク機器が該複数のプリアンブルの受信を完了した後、該少なくとも１つのプリアンブルに対応する少なくとも１つのＲＡＲを該端末装置にフィードバックすることは、該ネットワーク機器が該複数のプリアンブルの受信を完了した後、該複数のプリアンブルを受信する信号強度又は該複数のプリアンブルを受信する順序に応じて、該少なくとも１つのＲＡＲを該端末装置にフィードバックすることを含む。
【００６２】
ネットワーク機器が受信されたｐｒｅａｍｂｌｅの順序に応じてＲＡＲを端末装置にフィードバックしてもよい。例えば、ネットワーク機器が最初に受信された１つ又は複数のｐｒｅａｍｂｌｅをフィードバックしてもよい。ネットワーク機器が更に受信されたｐｒｅａｍｂｌｅの信号強度に応じてＲＡＲを端末装置にフィードバックしてもよい。例えば、ネットワーク機器が受信された複数のｐｒｅａｍｂｌｅのうちの信号強度の最も高い１つ又は複数のｐｒｅａｍｂｌｅをフィードバックしてもよい。この２つのｐｒｅａｍｂｌｅを端末装置にフィードバックするＲＡＲ方式は単に例示的なものであり、本願の実施例の範囲を制限するためのものではないと理解すべきである。
【００６３】
好ましくは、本願の実施例では、該少なくとも１つのＲＡＲは複数のＲＡＲを含み、該複数のＲＡＲが１つの媒体アクセス制御（ＭＡＣ）プロトコルデータユニット（ＰＤＵ）で搬送される。
【００６４】
当業者であれば、ＲＡＲは一般的に媒体アクセス制御（ＭＡＣ：Ｍｅｄｉａ  Ａｃｃｅｓｓ  Ｃｏｎｔｒｏｌ）プロトコルデータユニット（ＰＤＵ：Ｐｒｏｔｏｃｏｌ  Ｄａｔａ  Ｕｎｉｔ）に含まれ、該ＭＡＣ  ＰＤＵの構造は図４に示され、図４によれば、該ＭＡＣ  ＰＤＵは１つのＭＡＣヘッダー（ＭＡＣ  ｈｅａｄｅｒ）＋０個又は複数のＭＡＣ  ＲＡＲ（ＭＡＣ  Ｒａｎｄｏｍ  Ａｃｃｅｓｓ  Ｒｅｓｐｏｎｓｅ）＋存在する可能性のあるパディングｐａｄｄｉｎｇからなると理解される。その中の１つのＭＡＣ  ＲＡＲが１つのプリアンブルに対応する。具体的に、ネットワーク機器が複数のプリアンブルに対応するＲＡＲを端末装置にフィードバックする場合、各ＲＡＲを異なるＭＡＣ  ＰＤＵに含ませてもよいし、複数のＲＡＲを同じＭＡＣ  ＰＤＵに含ませてもよい。
【００６５】
好ましくは、本願の実施例では、該ネットワーク機器が１回のランダムアクセス過程において端末装置から送信された複数のプリアンブルを受信することは、該ネットワーク機器が１回のランダムアクセス過程において少なくとも１つの物理ランダムアクセスチャネル（ＰＲＡＣＨ）リソースによって該端末装置から送信された該複数のプリアンブルを受信することを含む。
【００６６】
好ましくは、本願の実施例では、該ネットワーク機器が１回のランダムアクセス過程において少なくとも１つの物理ランダムアクセスチャネル（ＰＲＡＣＨ）リソースによって該端末装置から送信された該複数のプリアンブルを受信することは、該ネットワーク機器が１回のランダムアクセス過程において該複数のプリアンブルに１対１に対応する複数のＰＲＡＣＨリソースによって該端末装置から送信された該複数のプリアンブルを受信することを含む。
【００６７】
当業者であれば、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）はランダムアクセスプリアンブルを伝送するためのものであり、ネットワーク機器は複数のＰＲＡＣＨリソースによって複数のプリアンブルを伝送するように予め設定してもよいし、１つのＰＲＡＣＨリソースによって複数のプリアンブルを伝送するように大略設定してもよく、端末装置は該１つのＰＲＡＣＨリソースにおけるある位置を使用して対応するプリアンブルを伝送することを自主的に決定し、ネットワーク機器は更に該複数のＰＲＡＣＨリソースを１つのビームに対応し、又は異なるＰＲＡＣＨリソースを異なるビームに対応するように設定してもよく、本願の実施例は制限しないと理解される。
【００６８】
好ましくは、本願の実施例では、該ランダムアクセス過程は競合に基づくランダムアクセス過程、非競合に基づくランダムアクセス過程又はシステム情報を取得するランダムアクセス過程である。
【００６９】
つまり、本願の実施例はランダムアクセス過程の具体的なシーンを制限しない。
【００７０】
図５は本願の実施例のランダムアクセス方法２００の模式的なブロック図である。図５に示すように、該方法２００は以下の一部又は全部を含んでもよい。
【００７１】
Ｓ２１０において、端末装置が１回のランダムアクセス過程においてネットワーク機器へ複数のプリアンブルを送信する。
【００７２】
Ｓ２２０において、前記端末装置が前記ネットワーク機器から送信された、前記複数のプリアンブルのうちの少なくとも１つのプリアンブルに対応する少なくとも１つのランダムアクセス応答（ＲＡＲ）を受信する。
【００７３】
従って、本願の実施例のランダムアクセス方法によれば、端末装置が１回のランダムアクセス過程においてネットワーク機器へ複数のプリアンブルを送信することにより、プリアンブル伝送の信頼性及びネットワーク機器がプリアンブルに応答する確率の向上に役立つ。
【００７４】
好ましくは、本願の実施例では、該方法は、更に、該端末装置が該少なくとも１つのＲＡＲのうちの第１のＲＡＲに含まれるアップリンクグラントに基づき、該ネットワーク機器へランダムアクセス過程における３番目のメッセージを送信することを含む。
【００７５】
端末装置はその中のあるプリアンブルのＲＡＲを監視した後、該ＲＡＲに含まれるアップリンクグラントに基づいてネットワーク機器へランダムアクセス過程における３番目のメッセージ（ＭＳＧ３）を送信することができる。ランダムアクセス過程において、これらのメッセージの内容が一定ではないため、異なるシーンにおける含まれるメッセージが異なるものである。例えば、無線リソース制御（ＲＲＣ：Ｒａｄｉｏ  Ｒｅｓｏｕｒｃｅ  Ｃｏｎｔｒｏｌ）接続要求が含まれる可能性もあるし、いくつかの制御メッセージひいてはサービスパケット等が含まれる可能性もある。
【００７６】
５Ｇ等の将来の無線通信システムにおいて、ランダムアクセス過程における３番目のメッセージは以下を含む可能性がある。
【００７７】
１．初期ＲＲＣ接続を確立し、端末装置がアイドル状態から接続状態に入る場合、端末装置がランダムアクセスを開始する。
２．ＲＲＣ接続を再確立し、無線リンクに失敗した場合、端末装置がＲＲＣ接続を改めて確立する必要がある場合、ＵＥがランダムアクセスを開始する。
３．端末装置が切り替える場合、端末装置が目標セルにおいてランダムアクセスを開始し、この時、端末装置が新しいセルとアップリンク同期を確立する必要がある。
４．ＲＲＣ接続状態において、ダウンリンクデータが到着すると、端末装置がアップリンク同期外れ状態にある（ネットワーク機器が１つのアップリンクタイマーをメンテナンスし、アップリンクタイマーがタイムアウトになって、ネットワーク機器が端末装置のサウンディング（ｓｏｕｎｄｉｎｇ）信号を受信していない場合、ネットワーク機器は端末装置がアップリンク同期外れになると見なされる）と発見し、ネットワーク機器は端末装置がランダムアクセスを開始するように制御する。
５．ＲＲＣ接続状態において、アップリンクデータが到着すると、それがアップリンク同期外れ状態にあり（ネットワーク機器が１つのアップリンクタイマーをメンテナンスし、アップリンクタイマーがタイムアウトになって、端末装置がネットワーク機器の時間繰り上げ（ＴＡ：ｔｉｍｅ  ａｄｖａｎｃｅ）の調整命令を受信していない場合、端末装置はそれがアップリンク同期外れになると見なされる）又はスケジューリング要求（ＳＲ：Ｓｃｈｅｄｕｌｉｎｇ  Ｒｅｑｕｅｓｔ）伝送のための利用可能な物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）リソースがないと発見し、端末装置がランダムアクセスを開始する。
６．端末装置が非アクティブ状態から接続状態に切り替える場合、ランダムアクセスを開始する。
７．端末がシステム情報を取得する。
【００７８】
好ましくは、本願の実施例では、該第１プリアンブルのＲＡＲが該少なくとも１つのＲＡＲのうちの該端末装置の最初に監視したＲＡＲである。
【００７９】
つまり、端末装置が最初に監視したＲＡＲに含まれるアップリンクグラントに基づいてネットワーク機器へ３番目のメッセージを送信してもよい。又は、端末装置が更に上記少なくとも１つのＲＡＲウィンドウ内に複数のＲＡＲを監視した場合、その中からいずれか１つのＲＡＲを選択して、選択されたＲＡＲに含まれるアップリンクグラントに基づいてネットワーク機器へ３番目のメッセージを送信してもよい。例えば、端末装置が複数のＲＡＲを監視した場合、端末装置は１番目の監視されたＲＡＲに含まれるアップリンクグラントに基づき、ネットワーク機器へ３番目のメッセージを送信してもよく、受信された複数のＲＡＲのうちの信号強度の最も高いＲＡＲに含まれるアップリンクグラントに基づいてネットワーク機器へ３番目のメッセージを送信してもよく、他のポリシーに従って複数のＲＡＲから１つを選択して、更に選択されたＲＡＲに含まれるアップリンクグラントに基づいてネットワーク機器へ３番目のメッセージを送信してもよく、本願の実施例はこれに限らない。
【００８０】
好ましくは、本願の実施例では、該少なくとも１つのＲＡＲは複数のＲＡＲを含み、該複数のＲＡＲが１つの媒体アクセス制御（ＭＡＣ）プロトコルデータユニット（ＰＤＵ）に含まれる。
【００８１】
好ましくは、本願の実施例では、該端末装置が１回のランダムアクセス過程においてネットワーク機器へ複数のプリアンブルを送信することは、該端末装置が１回のランダムアクセス過程において少なくとも１つの物理ランダムアクセスチャネル（ＰＲＡＣＨ）リソースによって該ネットワーク機器へ該複数のプリアンブルを送信することを含む。
【００８２】
好ましくは、本願の実施例では、該端末装置が１回のランダムアクセス過程において少なくとも１つの物理ランダムアクセスチャネル（ＰＲＡＣＨ）リソースによって該ネットワーク機器へ該複数のプリアンブルを送信することは、該端末装置が１回のランダムアクセス過程において該複数のプリアンブルに１対１に対応する複数のＰＲＡＣＨリソースによって該ネットワーク機器へ該複数のプリアンブルを送信することを含む。
【００８３】
好ましくは、本願の実施例では、該ランダムアクセス過程は競合に基づくランダムアクセス過程、非競合に基づくランダムアクセス過程又はシステム情報を取得するランダムアクセス過程である。
【００８４】
本明細書において、本明細書における用語「システム」と「ネットワーク」は常に交換可能に使用されると理解すべきである。本明細書における用語「及び／又は」は関連オブジェクトの関連関係を説明するためのものに過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【００８５】
端末装置に説明される端末装置とネットワーク機器との相互作用及び関連特性、機能等はネットワーク機器の関連特性、機能に対応すると理解すべきである。且つ関連内容は上記方法１００において既に詳しく説明されたため、簡潔のため、ここで詳細な説明は省略する。
【００８６】
本願の様々な実施例では、上記各過程の番号の順位は実行順序の前後を意味せず、各過程の実行順序はその機能及び内部論理によって決定されるべきであり、本願の実施例の実施過程を制限するためのものではないと更に理解すべきである。
【００８７】
以上は本願の実施例に係るランダムアクセス方法を詳しく説明したが、以下に図６〜図９を参照しながら本願の実施例に係るランダムアクセス装置を説明し、方法実施例に説明される技術的特徴は以下の装置実施例に適用される。
【００８８】
図６は本願の実施例のネットワーク機器３００の模式的なブロック図である。図６に示すように、該ネットワーク機器３００は、
１回のランダムアクセス過程において端末装置から送信された複数のプリアンブルを受信するように構成される受信ユニット３１０と、
該複数のプリアンブルのうちの少なくとも１つのプリアンブルに対応する少なくとも１つのランダムアクセス応答（ＲＡＲ）を該端末装置にフィードバックするように構成される送信ユニット３２０と、を備える。
【００８９】
従って、本願の実施例のネットワーク機器は１回のランダムアクセス過程において端末装置から送信された複数のプリアンブルを受信することができ、プリアンブル伝送の信頼性及びネットワーク機器がプリアンブルに応答する確率の向上に役立つ。
【００９０】
好ましくは、本願の実施例では、該送信ユニットは、具体的に、該複数のプリアンブルのうちの１番目のプリアンブルを受信した後、該１番目のプリアンブルに対応するＲＡＲを該端末装置にフィードバックし、該複数のプリアンブルのうちの該１番目のプリアンブル以外のプリアンブルを受信した後、ＲＡＲを該端末装置にフィードバックしないことに用いられる。
【００９１】
好ましくは、本願の実施例では、該少なくとも１つのＲＡＲは該複数のプリアンブルに１対１に対応する複数のＲＡＲを含み、該送信ユニットは、具体的に、該複数のプリアンブルのうちの１つのプリアンブルを受信したたびに、対応するＲＡＲを該端末装置にフィードバックすることに用いられる。
【００９２】
好ましくは、本願の実施例では、該送信ユニットは、具体的に、該ネットワーク機器が該複数のプリアンブルの受信を完了した後、該少なくとも１つのＲＡＲを該端末装置にフィードバックすることに用いられる。
【００９３】
好ましくは、本願の実施例では、該受信ユニットは、具体的に、該複数のプリアンブルの受信を完了した後、該複数のプリアンブルを受信する信号強度又は該複数のプリアンブルを受信する順序に応じて、該少なくとも１つのＲＡＲを該端末装置にフィードバックすることに用いられる。
【００９４】
好ましくは、本願の実施例では、該少なくとも１つのＲＡＲは複数のＲＡＲを含み、該複数のＲＡＲが１つの媒体アクセス制御（ＭＡＣ）プロトコルデータユニット（ＰＤＵ）で搬送される。
【００９５】
好ましくは、本願の実施例では、該受信ユニット３１０は、具体的に、１回のランダムアクセス過程において少なくとも１つの物理ランダムアクセスチャネル（ＰＲＡＣＨ）リソースによって該端末装置から送信された該複数のプリアンブルを受信することに用いられる。
【００９６】
好ましくは、本願の実施例では、該受信ユニット３１０は、具体的に、１回のランダムアクセス過程において該複数のプリアンブルに１対１に対応する複数のＰＲＡＣＨリソースによって該端末装置から送信された該複数のプリアンブルを受信することに用いられる。
【００９７】
好ましくは、本願の実施例では、該ランダムアクセス過程は競合に基づくランダムアクセス過程、非競合に基づくランダムアクセス過程又はシステム情報を取得するランダムアクセス過程である。
【００９８】
本願の実施例に係るネットワーク機器３００は本願の方法実施例におけるネットワーク機器に対応してもよく、且つネットワーク機器３００における各ユニットの上記及び他の操作及び／又は機能はそれぞれ図３及び図４における方法におけるネットワーク機器の対応プロセスを実現するためのものであり、簡潔のため、ここで詳細な説明は省略すると理解すべきである。
【００９９】
図７は本願の実施例の端末装置４００の模式的なブロック図である。図７に示すように、該端末装置４００は、
１回のランダムアクセス過程においてネットワーク機器へ複数のプリアンブルを送信するように構成される第１送信ユニット４１０と、
該ネットワーク機器から送信された、該複数のプリアンブルのうちの少なくとも１つのプリアンブルに対応する少なくとも１つのランダムアクセス応答（ＲＡＲ）を受信するように構成される受信ユニット４２０と、を備える。
【０１００】
従って、本願の実施例の端末装置は１回のランダムアクセス過程においてネットワーク機器へ複数のプリアンブルを送信することにより、プリアンブル伝送の信頼性及びネットワーク機器がプリアンブルに応答する確率の向上に役立つ。
【０１０１】
好ましくは、本願の実施例では、該端末装置４００は、更に、該少なくとも１つのＲＡＲのうちの第１のＲＡＲに含まれるアップリンクグラントに基づき、該ネットワーク機器へランダムアクセス過程における３番目のメッセージを送信するように構成される第２送信ユニットを備える。
【０１０２】
好ましくは、本願の実施例では、該第１のＲＡＲが該少なくとも１つのＲＡＲのうちの該端末装置の受信した１番目のＲＡＲである。
【０１０３】
好ましくは、本願の実施例では、該少なくとも１つのＲＡＲは複数のＲＡＲを含み、該複数のＲＡＲが１つの媒体アクセス制御（ＭＡＣ）プロトコルデータユニット（ＰＤＵ）に含まれる。
【０１０４】
好ましくは、本願の実施例では、該第１送信ユニットは、具体的に、１回のランダムアクセス過程において少なくとも１つの物理ランダムアクセスチャネル（ＰＲＡＣＨ）リソースによって該ネットワーク機器へ該複数のプリアンブルを送信することに用いられる。
【０１０５】
好ましくは、本願の実施例では、該第１送信ユニット４１０は、具体的に、１回のランダムアクセス過程において該複数のプリアンブルに１対１に対応する複数のＰＲＡＣＨリソースによって該ネットワーク機器へ該複数のプリアンブルを送信することに用いられる。
【０１０６】
好ましくは、本願の実施例では、該ランダムアクセス過程は競合に基づくランダムアクセス過程、非競合に基づくランダムアクセス過程又はシステム情報を取得するランダムアクセス過程である。
【０１０７】
本願の実施例に係る端末装置４００は本願の方法実施例における端末装置に対応してもよく、且つ端末装置４００における各ユニットの上記及び他の操作及び／又は機能はそれぞれ図５における方法における端末装置の対応プロセスを実現するためのものであり、簡潔のため、ここで詳細な説明は省略すると理解すべきである。
【０１０８】
図８に示すように、本願の実施例は更にネットワーク機器５００を提供し、該ネットワーク機器５００は図３及び図４における方法１００に対応するネットワーク機器の内容を実行することのできる図６におけるネットワーク機器３００であってもよい。該ネットワーク機器５００は入力インターフェース５１０、出力インターフェース５２０、プロセッサ５３０及びメモリ５４０を備え、該入力インターフェース５１０、出力インターフェース５２０、プロセッサ５３０及びメモリ５４０がバスシステムによって接続されてもよい。該メモリ５４０はプログラム、命令又はコードを記憶することに用いられる。入力インターフェース５１０が信号を受信し、出力インターフェース５２０が信号を送信するように制御し及び上記方法実施例における操作を完了するために、該プロセッサ５３０は該メモリ５４０におけるプログラム、命令又はコードを実行することに用いられる。
【０１０９】
従って、本願の実施例のネットワーク機器は１回のランダムアクセス過程において端末装置から送信された複数のプリアンブルを受信することができ、ネットワーク機器がＲＡＲをフィードバックする信頼性の向上に役立つ。
【０１１０】
本願の実施例では、該プロセッサ５３０は中央処理装置（ＣＰＵ：Ｃｅｎｔｒａｌ  Ｐｒｏｃｅｓｓｉｎｇ  Ｕｎｉｔ）であってもよく、該プロセッサ５３０は更に他の汎用プロセッサ、デジタルシグナルプロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【０１１１】
該メモリ５４０は読み出し専用メモリ及びランダムアクセスメモリを含んでもよく、且つプロセッサ５３０に命令及びデータを提供する。メモリ５４０の一部は更に不揮発性ランダムアクセスメモリを含んでもよい。例えば、メモリ５４０に更に装置タイプの情報が記憶されてもよい。
【０１１２】
実現過程において、上記方法の各内容はプロセッサ５３０におけるハードウェアの集積論理回路又はソフトウェア形式の命令で完了してもよい。本願の実施例に開示される方法の内容はハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ５４０に位置し、プロセッサ５３０がメモリ５４０における情報を読み取り、そのハードウェアと組み合わせて上記方法の内容を完了する。重複を避けるため、ここで詳細な説明は省略する。
【０１１３】
１つの具体的な実施形態では、ネットワーク機器３００の送信ユニットが図８における出力インターフェース５２０により実現されてもよく、ネットワーク機器３００の受信ユニットが図８における入力インターフェース５１０により実現されてもよい。
【０１１４】
図９に示すように、本願の実施例は更に端末装置６００を提供し、該端末装置６００は図５における方法２００に対応する端末装置の内容を実行することのできる図７における端末装置４００であってもよい。該端末装置６００は入力インターフェース６１０、出力インターフェース６２０、プロセッサ６３０及びメモリ６４０を備え、該入力インターフェース６１０、出力インターフェース６２０、プロセッサ６３０及びメモリ６４０がバスシステムによって接続されてもよい。該メモリ６４０はプログラム、命令又はコードを記憶することに用いられる。入力インターフェース６１０が信号を受信し、出力インターフェース６２０が信号を送信するように制御し及び上記方法実施例における操作を完了するために、該プロセッサ６３０は該メモリ６４０におけるプログラム、命令又はコードを実行することに用いられる。
【０１１５】
従って、本願の実施例の端末装置は１回のランダムアクセス過程においてネットワーク機器へ複数のプリアンブルを送信することにより、プリアンブル伝送の信頼性及びネットワーク機器がプリアンブルに応答する確率の向上に役立つ。
【０１１６】
本願の実施例では、該プロセッサ６３０は中央処理装置（ＣＰＵ：Ｃｅｎｔｒａｌ  Ｐｒｏｃｅｓｓｉｎｇ  Ｕｎｉｔ）であってもよく、該プロセッサ６３０は更に他の汎用プロセッサ、デジタルシグナルプロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【０１１７】
該メモリ６４０は読み出し専用メモリ及びランダムアクセスメモリを含んでもよく、且つプロセッサ６３０に命令及びデータを提供する。メモリ６４０の一部は更に不揮発性ランダムアクセスメモリを含んでもよい。例えば、メモリ６４０に更に装置タイプの情報が記憶されてもよい。
【０１１８】
実現過程において、上記方法の各内容はプロセッサ６３０におけるハードウェアの集積論理回路又はソフトウェア形式の命令で完了してもよい。本願の実施例に開示される方法の内容はハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ６４０に位置し、プロセッサ６３０がメモリ６４０における情報を読み取り、そのハードウェアと組み合わせて上記方法の内容を完了する。重複を避けるため、ここで詳細な説明は省略する。
【０１１９】
１つの具体的な実施形態では、端末装置４００における第１送信ユニット及び第２送信ユニットが図９における出力インターフェース６２０により実現されてもよく、端末装置４００における受信ユニットが図９における入力インターフェース６１０により実現されてもよい。
【０１２０】
当業者であれば、本明細書に開示される実施例を参照して説明した各例示的なユニット及びアルゴリズムステップは、電子ハードウェア、又はコンピュータソフトウェア及び電子ハードウェアの組み合わせで実現されてもよいと理解される。これらの機能をハードウェア又はソフトウェア方式で実行するかは、技術案の特定応用及び設計制約条件によって決定される。当業者は各特定応用に対して異なる方法で説明される機能を実現することができるが、このような実現は本願の範囲を超えると見なされるべきではない。
【０１２１】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０１２２】
本願に係るいくつかの実施例では、開示されるシステム、装置及び方法は他の方式で実現されてもよいと理解すべきである。例えば、以上に説明される装置実施例は模式的なものに過ぎず、例えば、該ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１２３】
分離部材として説明される該ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【０１２４】
また、本願の各実施例では、各機能ユニットは１つの処理ユニットに統合されてもよく、各ユニットは独立して物理的に存在してもよく、２つ又は２つ以上のユニットは１つのユニットに統合されてもよい。
【０１２５】
該機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク機器等であってもよい）に本願の各実施例の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１２６】
以上の説明は本願の具体的な実施形態であって、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
2020532156.tif 000003
【図２】
2020532156.tif 000004
【図３】
2020532156.tif 000005
【図４】
2020532156.tif 000006
【図５】
2020532156.tif 000007
【図６】
2020532156.tif 000008
【図７】
2020532156.tif 000009
【図８】
2020532156.tif 000010
【図９】
2020532156.tif 000011
【手続補正書】
【提出日】令和2年1月21日(2020.1.21)
【手続補正１】
【補正対象書類名】特許請求の範囲
【補正対象項目名】全文
【補正方法】変更
【補正の内容】
【特許請求の範囲】
【請求項１】
ランダムアクセス方法であって、
ネットワーク機器が１回のランダムアクセス過程において端末装置から送信された複数のプリアンブルを受信することと、
前記ネットワーク機器が前記複数のプリアンブルのうちの少なくとも１つのプリアンブルに対応する少なくとも１つのランダムアクセス応答（ＲＡＲ）を前記端末装置にフィードバックすることと、を含むことを特徴とする、前記ランダムアクセス方法。
【請求項２】
前記ネットワーク機器が前記複数のプリアンブルのうちの少なくとも１つのプリアンブルに対応する少なくとも１つのランダムアクセス応答（ＲＡＲ）を前記端末装置にフィードバックすることは、
前記ネットワーク機器が前記複数のプリアンブルのうちの１番目のプリアンブルを受信した後、前記１番目のプリアンブルに対応するＲＡＲを前記端末装置にフィードバックすることと、
前記ネットワーク機器が前記複数のプリアンブルのうちの前記１番目のプリアンブル以外のプリアンブルを受信した後、ＲＡＲを前記端末装置にフィードバックしないことと、を含むことを特徴とする
請求項１に記載の方法。
【請求項３】
前記少なくとも１つのＲＡＲは前記複数のプリアンブルに１対１に対応する複数のＲＡＲを含み、前記ネットワーク機器が前記複数のプリアンブルのうちの少なくとも１つのプリアンブルに対応する少なくとも１つのランダムアクセス応答（ＲＡＲ）を前記端末装置にフィードバックすることは、
前記ネットワーク機器が前記複数のプリアンブルのうちの１つのプリアンブルを受信したたびに、対応するＲＡＲを前記端末装置にフィードバックすることを含むことを特徴とする
請求項１に記載の方法。
【請求項４】
前記ネットワーク機器が前記複数のプリアンブルのうちの少なくとも１つのプリアンブルに対応する少なくとも１つのランダムアクセス応答（ＲＡＲ）を前記端末装置にフィードバックすることは、
前記ネットワーク機器が前記複数のプリアンブルの受信を完了した後、前記少なくとも１つのＲＡＲを前記端末装置にフィードバックすることを含むことを特徴とする
請求項１に記載の方法。
【請求項５】
前記ネットワーク機器が前記複数のプリアンブルの受信を完了した後、前記少なくとも１つのプリアンブルに対応する少なくとも１つのＲＡＲを前記端末装置にフィードバックすることは、
前記ネットワーク機器が前記複数のプリアンブルの受信を完了した後、前記複数のプリアンブルを受信する信号強度又は前記複数のプリアンブルを受信する順序に応じて、前記少なくとも１つのＲＡＲを前記端末装置にフィードバックすることを含むことを特徴とする
請求項４に記載の方法。
【請求項６】
前記少なくとも１つのＲＡＲは複数のＲＡＲを含み、前記複数のＲＡＲが１つの媒体アクセス制御（ＭＡＣ）プロトコルデータユニット（ＰＤＵ）で搬送されることを特徴とする
請求項５に記載の方法。
【請求項７】
前記ネットワーク機器が１回のランダムアクセス過程において端末装置から送信された複数のプリアンブルを受信することは、
前記ネットワーク機器が１回のランダムアクセス過程において少なくとも１つの物理ランダムアクセスチャネル（ＰＲＡＣＨ）リソースによって前記端末装置から送信された前記複数のプリアンブルを受信することを含むことを特徴とする
請求項１〜６のいずれか１項に記載の方法。
【請求項８】
前記ネットワーク機器が１回のランダムアクセス過程において少なくとも１つの物理ランダムアクセスチャネル（ＰＲＡＣＨ）リソースによって前記端末装置から送信された前記複数のプリアンブルを受信することは、
前記ネットワーク機器が１回のランダムアクセス過程において前記複数のプリアンブルに１対１に対応する複数のＰＲＡＣＨリソースによって前記端末装置から送信された前記複数のプリアンブルを受信することを含むことを特徴とする
請求項７に記載の方法。
【請求項９】
前記ランダムアクセス過程は競合に基づくランダムアクセス過程、非競合に基づくランダムアクセス過程又はシステム情報を取得するランダムアクセス過程であることを特徴とする
請求項１〜８のいずれか１項に記載の方法。
【請求項１０】
ネットワーク機器であって、
請求項１〜９のいずれか一項に記載のランダムアクセス方法を実行するように構成されることを特徴とする、前記ネットワーク機器。
【請求項１１】
端末装置であって、
１回のランダムアクセス過程においてネットワーク機器へ複数のプリアンブルを送信するように構成される第１送信ユニットと、
前記ネットワーク機器から送信された、前記複数のプリアンブルのうちの少なくとも１つのプリアンブルに対応する少なくとも１つのランダムアクセス応答（ＲＡＲ）を受信するように構成される受信ユニットと、を備えることを特徴とする、前記端末装置。
【請求項１２】
前記端末装置は、更に、
前記少なくとも１つのＲＡＲのうちの第１のＲＡＲに含まれるアップリンクグラントに基づき、前記ネットワーク機器へランダムアクセス過程における３番目のメッセージを送信するように構成される第２送信ユニットを備えることを特徴とする
請求項１１に記載の端末装置。
【請求項１３】
前記第１のＲＡＲが前記少なくとも１つのＲＡＲのうちの前記端末装置の受信した１番目のＲＡＲであることを特徴とする
請求項１２に記載の端末装置。
【請求項１４】
前記第１送信ユニットは、具体的に、
１回のランダムアクセス過程において少なくとも１つの物理ランダムアクセスチャネル（ＰＲＡＣＨ）リソースによって前記ネットワーク機器へ前記複数のプリアンブルを送信することに用いられることを特徴とする
請求項１１〜１３のいずれか１項に記載の端末装置。
【請求項１５】
前記第１送信ユニットは、具体的に、
１回のランダムアクセス過程において前記複数のプリアンブルに１対１に対応する複数のＰＲＡＣＨリソースによって前記ネットワーク機器へ前記複数のプリアンブルを送信することに用いられることを特徴とする
請求項１４に記載の端末装置。
【国際調査報告】
2020532156.tif 000012
2020532156.tif 000013
2020532156.tif 000014
2020532156.tif 000015